(57)【特許請求の範囲】
【請求項１】
電動機の軸方向の一方にブロワ、他方に自冷却用の冷却ファン、前記冷却ファン側の下部に吸込口及び吐出口を有する２台のブロワを収容するハウジングを備え、
ハウジングは箱形の形状を有し、その上半分部に第１のブロワの収容室と２台のブロワの制御盤を収容する制御機器室を、下半分部に第２のブロワの収容室と消音通路室を備え、消音通路室は、第１及び第２のブロワの吐出空気を導入、消音してハウジング外へ排出する第１の消音通路室と、第１及び第２のブロワの冷却空気を導入、消音してハウジング外へ排出する第２の消音通路室を備えるブロワ装置。
【請求項２】
消音通路室は、空気流に対して抵抗を与える手段を有する抵抗形の消音通路室である請求項１記載のブロワ装置。
【請求項３】
消音通路室の内壁面は、吸音材が貼着される請求項１記載のブロワ装置。
【請求項４】
ブロワの収容室に隣接して配設され、ハウジング外壁に設けられる冷却空気の取入口と、取入口の内側に配設されて取り入れた空気を一時貯留する取入空気室を備える請求項１記載のブロワ装置。
【請求項５】
取入空気室の内壁面は、吸音材が貼着される請求項４記載のブロワ装置。
【請求項６】
ブロワの収容室に隣接して配設され、冷却空気を、第２の消音通路室へ導くための通路室を備える請求項１記載のブロワ装置。
【請求項７】
冷却空気の通路室の内壁面は、吸音材が貼着される請求項６記載のブロワ装置。
【請求項８】
ブロワの吸込側は、負圧が供給される機器に連通する吸込管と、エアフィルタと、三方弁を備える請求項１記載のブロワ装置。
【請求項９】
三方弁は、負圧が供給される機器が全閉運転されたときに切り換えられて、ハウジングの外気をブロワの吸込口に供給する請求項８記載のブロワ装置。
【発明の詳細な説明】
【０００１】
【発明の属する技術分野】
本発明はブロワ全体を内部に吸音材を備えたハウジング内に収容し、ブロワの発生する音の外部への放出を抑制するブロワの消音装置に関する。
【０００２】
【従来の技術】
近年、ブロワの小形軽量化、高吐出圧力化、低騒音化になどに対する要求の高まりに応じ、その羽根車の構造、形状について種々の研究、開発が行なわれてきている。同時に、それらを収納する消音装置についても、同様に小形、軽量化が要求されてきている。
【０００３】
従来、この種のものにおいては、ブロワ全体を内部に吸音材を備えた箱で収容し、吸込口、吐出口を配管で外部に導く構造をとったものがあり、また、箱を全体的に、或は部分的に２重構造にしたものがある。この種の技術の参考となるものとしては、特開昭６１−２５９０００号公報、特開平３−２５３８００号公報がある。
【０００４】
【発明が解決しようとする課題】
ブロワが供給する負圧や正圧を利用する機器の容量や台数に応じて、同時に２台のブロワを必要とする場合が生ずる。
本発明は、２台のブロワを収容し、その吐出空気とブロワの冷却空気を消音する通路を備えたコンパクトなブロワ装置を提供するものである。
【０００５】
【課題を解決するための手段】
本発明のブロワ装置は、電動機の軸方向の一方にブロワ、他方に自冷却用の冷却ファン、前記冷却ファン側の下部に吸込口及び吐出口を有する２台のブロワを収容するハウジングを備える。そして、基本的手段として、ハウジングは箱形の形状を有し、その上半分部に第１のブロワの収容室と２台のブロワの制御盤を収容する制御機器室を、下半分部に第２のブロワの収容室と消音通路室を備え、消音通路室は、第１及び第２のブロワの吐出空気を導入、消音してハウジング外へ排出する第１の消音通路室と、第１及び第２のブロワの冷却空気を導入、消音してハウジング外へ排出する第２の消音通路室を備えるものである。
また、消音通路室は、空気流に対して抵抗を与える手段を有する抵抗形の消音通路室であり、消音通路室の内壁面は、吸音材が貼着されるものである。
【０００６】
ブロワ装置は、ブロワの収容室に隣接して配設されるハウジングに設けられる冷却空気の取入口と、取入口の内側に配設されて取り入れた空気を一時貯留する取入空気室を備える。そして、取入空気室の内壁面は、吸音材が貼着されるものである。
さらに、ブロワ装置は、ブロワの収容室に隣接して配設される冷却空気を、第２の消音通路室へ導くための通路室を備える。そして、冷却空気の通路室の内壁面は、吸音材が貼着されるものである。
ブロワの吸込側は、負圧が供給される機器に連通する吸込管と、エアフィルタと三方弁を備える。三方弁は、負圧が供給される機器が全閉運転されたときに切り換えられて、ハウジングの外気をブロワの吸込口に供給する機能を有する。
【０００７】
【発明の実施の形態】
図１は、本発明のブロワ装置の正面図、図２はブロワ装置の右側面図、図３はブロワ装置の背面図、図４はブロワ装置の左側面図、図５はブロワ装置の底面図ある。
【０００８】
全体を符号１で示すブロワ装置は、箱形のハウジング１０を有し、ハウジングはキャスター１２により移動自在に支持される。ハウジング１０は、縦長の箱形を有し、その上半分部に制御機器室２０と、第１のブロワの収容室３０を、下半分部に第２のブロワの収容室４０と、抵抗形の消音通路室５０を有する。
【０００９】
制御機器室２０は、第１のブロワの駆動用のインバータ６１、ノイズフィルタ６２、第２のブロワの駆動用のインバータ６２、ノイズフィルタ６４、ブレーカ６５、リレー６６等を備えた制御盤を収容する。
第１のブロワの収容室３０内には第１のブロワ１００が収容され、防振ゴム１０２を介してハウジング１０の部材に対して固定される。
【００１０】
第１のブロワ１００は、モータケーシング１１０とブロワケーシング１２０を有し、モータのロータ１１２により羽根１２２を駆動する。ロータ１１２の羽根１２２とは反対側にはファン１３０が取り付けられ、ケーシング１１０，１２０の冷却を図る。
ブロワの型式としては、図示した渦流ブロワの外に、ターボブロワ等の種々の型式のブロワが使用目的に応じて選択される。
【００１１】
ハウジング１０の一側面に配設される第１の吸入管１５０は、外部の機器にホース等により連結され、その機器に負圧を提供する。
第１の吸込管１５０は、エアクリーナ１５２を介して三方弁１５４に連通される。三方弁１５４は、負圧を供給する機器が、例えば全閉運転されたときに、切り換えられてハウジング１０の外部の空気を吸入する。この作用によって、第１のブロワ１００の全閉運転が防止され、排出空気の過度の温度上昇等が防止される。
【００１２】
三方弁を通った吸入空気は、第１のブロワ１００の吸込口１５６へ送られる。吸入された空気は、公知の態様によって、ブロワケーシング１２０内で昇圧され、吐出口１５８が吐出される。第１のブロワ１００の吐出口１５８は、消音通路室５０内へ開口する。
【００１３】
ハウジング１０の下半分部に配設される第２のブロワの収容室４０内には、第２のブロワ２００が収容される。第２のブロワ２００は、防振ゴム２０２を介してハウジング１０の底板部材に対して固定される。
第２のブロワ２００は、モータケーシング２１０とブロワケーシング２２０を有し、モータのロータ２１２により羽根２２２を駆動する。ロータ２１２の羽根２２２とは反対側にはファン２３０が取り付けられ、ケーシング２１０，２２０の冷却を図る。
ブロワの型式としては、図示した渦流ブロワの外に、ターボブロワ等の種々の型式のブロワが使用目的に応じて選択される。
【００１４】
ハウジング１０の一側面に配設される第２の吸入管２５０は、外部の機器にホース等により連結され、その機器に負圧を提供する。
第２の吸込管２５０は、エアクリーナ２５２を介して三方弁２５４に連通される。三方弁２５４は、負圧を供給する機器が、例えば全閉運転されたときに、切り換えられてハウジング１０の外部の空気を吸入する。この作用によって、第２のブロワ２００の全閉運転が防止され、排出空気の過度の温度上昇等が防止される。
【００１５】
三方弁を通った吸入空気は、第２のブロワ２００の吸込口２５６へ送られる。吸入された空気は、公知の態様によって、ブロワケーシング２２０内で昇圧され、吐出口２５８が吐出される。第２のブロワ２００の吐出口２５８は、消音通路室５０内へ開口する。
【００１６】
ハウジング１０の下半分部に配設される抵抗形の消音通路室５０は、第２のブロワの収容室４０に隣接して設けられる。この消音通路室５０は、２台のブロワの排気音を消音する第１の抵抗形の消音通路室５２と、２台のブロワの冷却空気音を消音する第２の抵抗形の消音通路室５４に区分され、両者は隔壁５６０により区画されている。
【００１７】
第１の消音通路室５２は、ハウジング１０の側壁５３０と、第２の消音通路室５４との間の隔壁５６０により囲まれる空間であって、内部に配設される壁部５３１，５３２，５３３等によって、複数の抵抗形の消音室５２１，５２２，５２３，５２４が形成される。これらの消音室の囲壁には吸音材３００が貼付けられる。吸音材３００は、排気の温度に耐えて、吸音効果を発揮する材料が選択される。
【００１８】
第１のブロワ１００の吐出管１５８と、第２のブロワ２００の吐出管２５８からの排気Ａ1は、第１の消音室５２１に吐出される。
吐出された排気Ａ1は、折り曲げられて配設される抵抗形の消音室５２１，５２２，５２３，５２４を通過する間に、その騒音エネルギーは周囲の吸音材で緩衝され、消音される。消音された吐出排気は、ハウジング１０の床板に設けられた第１の排気口５２５を介して外部へ排出される。
第１の消音通路室５２に隣接して配置される第２の消音通路室５４は、２台のブロワ１００，２００の冷却用の空気を消音して排出する機能を有する。
【００１９】
図３は、ハウジング１０の上半分部に装備される第１のブロワ１００の冷却用の空気流路を示す。
ハウジング１０の背面の壁面には、冷却用の空気の取入口が設けられる。この取入口３４の開口部は、例えばメッシュ板等で覆われ、異物の浸入が防止される。
【００２０】
取入口３４から取入れられた外気Ａ2は、一端取入空気室３２内に貯留される。この取入空気室３２は、箱形のもので、隔壁３２０によって、ブロワ収容室３０とは区画されている。取入空気室３２の囲壁には吸音材３００が貼着されており、空気の吸気音は消音される。
取入空気室の空気は、隔壁３２０に設けた開口部を通ってブロワ収容室３０に流入する。
【００２１】
ブロワ１００のファン１３０は、モータにより駆動され、加圧された空気をモータケーシング１１０とブロワケーシング１２０に沿って流して、各部の発熱を強制空冷する。ブロワのケーシング１２０に対向して設けられる隔壁３６０は、ブロワの収容室３０と冷却空気の通路室３６とを区画する。隔壁３６０に形成された開口部を通過した空気は、通路室３６を通ってハウジングの下方へ流れ、第２の消音通路室５４へ流入する。冷却空気の通路室３６の周囲には、吸音材３００が貼着されていて、ブロワ１００が発生する騒音を吸収する。
【００２２】
第２の抵抗形の消音通路室５４は、ハウジング１０の側壁５４０と第１の消音通路室５２との間の隔壁５６０との間にあって、内部に設けられる壁５４１によって、複数の消音室５５１，５５２が形成される。各消音室５５１，５５２の周囲には吸音材３００が貼着される。
【００２３】
第２の消音通路室５４に導入された冷却空気は、騒音エネルギーが緩衝された後に、ハウジングの床板に設けた開口部５５５から外部へ排出される。
第２のブロワ収容室４０も同様の取入空気室４２と外気の取入口４４を有し、第２のブロワに取り付けられたファン２３０は、ブロワ２００を強制空冷し、冷却に使用され空気Ａ2は、第２の消音通路室５４の消音室５５１へ送り出される構造となっている。
【００２４】
【発明の効果】
本発明は以上のように、２台のブロワを収容し、かつブロワの吐出空気とブロワの強制空浄の空気の消音を図る抵抗形の消音通路室とを箱形のハウジングの内部にコンパクトに構成したので、建物内で使用する際にも低騒音かつスペース効率の高いブロワ装置を提供することができる。
なお、２台のブロワは、同時に運転することも、また一方のみを運転することもできる。
【図面の簡単な説明】
【図１】本発明のブロワ装置の正面図。
【図２】本発明のブロワ装置の右側面図。
【図３】本発明のブロワ装置の背面図。
【図４】本発明のブロワ装置の左側面図。
【図５】本発明のブロワ装置の底面図。
【符号の説明】
１  ブロワ装置
１０  ハウジング
２０  制御機器室
３０  第１のブロワの収容室
４０  第２のブロワの収容室
５０  消音通路室
５２  第１の消音通路室
５４  第２の消音通路室
１００  第１のブロワ
１３０  ファン
１５０  吸入管
１５２  エアクリーナ
１５４  三方弁
１５６  吸込口
１５８  吐出口
２００  第２のブロワ
２５０  吸入管
２５２  エアクリーナ
２５４  三方弁
２５６  吸込口
２５８  吐出口
【図１】
0003675608.tif 000002
【図２】
0003675608.tif 000003
【図３】
0003675608.tif 000004
【図４】
0003675608.tif 000005
【図５】
0003675608.tif 000006